(57)【要約】【課題】  ＳＩがシステムを構築した場合に、そのシステムをエンドユーザに引き渡す直前に作成する設定手順マニュアル等の文書作成に好適な文書作成装置を提供する。【解決手段】  文書作成用情報を画面に表示する表示手段（図１のＰＣ画面１０ａ）と、該表示手段に画面表示された文書作成用情報に、追加事項を記入する追加事項記入手段（ペン型装置３０）と、作業者が装着し、前記追加事項が記入された前記表示手段の画面状態を視認しつつ撮影する撮影手段（ＨＭＤ２０）と、該撮影手段が撮影した前記文書作成用情報と追加事項とを合成する画像合成手段（画像合成部４４）とを備えた構成としてある。【選択図】      図１
2005045613.tif 000002
【特許請求の範囲】
【請求項１】
文書作成用情報を画面に表示する表示手段と、
該表示手段に画面表示された文書作成用情報に、追加事項を記入する追加事項記入手段と、
作業者が装着し、前記追加事項が記入された前記表示手段の画面状態を視認しつつ撮影する撮影手段と、
該撮影手段が撮影した前記文書作成用情報と追加事項とを合成する画像合成手段と
を備えたことを特徴とする文書作成装置。
【請求項２】
請求項１記載の文書作成装置において、
前記画像合成手段が合成した画像を、フォーマット化して文書を作成するフォーマット化文書作成手段を備えたことを特徴とする文書作成装置。
【請求項３】
請求項１または請求項２記載の文書作成装置において、
前記表示手段を備えた装置と前記画像合成手段を備えた装置とは、無線により接続したことを特徴とする文書作成装置。
【請求項４】
請求項３記載の文書作成装置において、
前記画像合成手段を備えた装置は、前記フォーマット化文書作成手段が作成したフォーマット化文書を蓄積しておくフォーマット化文書蓄積手段に接続されたことを特徴とする文書作成装置。
【請求項５】
請求項１〜請求項４記載の文書作成装置において、
前記表示手段は、基本ソフトウェアをインストールした情報端末装置に備えられたことを特徴とする文書作成装置。
【請求項６】
請求項１〜請求項５記載の文書作成装置において、
前記文書作成用情報は、前記情報端末装置が動作可能状態になった後に表示される情報であることを特徴とする文書作成装置。
【請求項７】
請求項１〜請求項５記載の文書作成装置において、
前記文書作成用情報は、前記情報端末装置が立ち上がり動作状態中に表示される情報であることを特徴とする文書作成装置。
【発明の詳細な説明】
【技術分野】
【０００１】
本発明は、文書作成装置に関し、例えば、ＳＩがシステムを構築した場合に、そのシステムをエンドユーザに引き渡す直前に作成する設定手順マニュアル等の文書作成に好適な文書作成装置に関する。
【背景技術】
【０００２】
例えば、或るシステムを構築した場合には、ソフトウェア（ソフト）およびハードウェア（ハード）の両面で、そのシステムを運用あるいは保守するための作業手順書が必要である。作業手順書の作成は、システムエンジニア（ＳＥ）の必須作業である。
【０００３】
この作業手順書の作成は、非常に時間のかかる作業であるにも拘わらず、エンドユーザからは、システム構築・運用業者（システムインテグレーター、ＳＩ）の単なるサービスと見られてしまい、作業工数を認めて貰えず、作業料金の支払対象にして貰えない場合が多い。従って、ＳＩとしては、出来るだけ作業手順書作成に要する時間を短くしたい。
【０００４】
また、従来の作業手順書作成は、個々のＳＥの好みに応じて作成されていたので、或るＳＩの全社を見ると、作業手順書の構成・スタイルに統一性が無い場合が多い。これでは、前記ＳＩの個々のＳＥが苦労して作業手順書を作成したにも拘わらず、発注元であるエンドユーザ（例えば、公共事業体等）にしてみれば、作業手順書を読んで理解する際に、前記統一性が無いために、余分な苦労を背負い込むことになる。
【０００５】
一方、作業手順書は、エンドユーザ先のＫＭ（知識管理）システムに登録されたり、エンドユーザ先の作業引継ぎや展開作業に利用されるので、エンドユーザ先では重要な知的財産として扱われるという性質を有している場合が多い。
【０００６】
このような特質を持つ作業手順書作成の問題点の一部を解決するために利用可能と思われる提案として、次のものがある（特許文献１）。
特許文献１は「操作説明書作成ツール」であり、その全体構成のブロック図を図１５（Ａ）に示し、図１５（Ｂ）にヘルプファイルの構成例を示す。
【０００７】
図１５（Ａ），（Ｂ）に示すように、パソコン本体の表示制御手段１０１は、ヘルプファイル１０２ａ中の指定された操作説明１１０を、ディスプレイ１０３に表示する。編集手段１０４は、表示された操作説明１１０を入力デバイス（キーボード）１０５の指示に従って編集する。
【０００８】
印刷制御手段１０６は、ディスプレイ１０３に表示された操作中の操作画面１０３ａと編集手段１０４により編集された操作説明１０７ａとを、印刷用紙１０７上にプリンタ１０８により印刷出力する。ヘルプファイル更新手段１０９は、要求に応じてメモリ１０２に格納されたヘルプファイル１０２ａの内容を編集手段１０４により編集された操作説明１０７ａによって更新する。
このようにすれば、操作画面１０３ａとヘルプファイル１０２ａとを用いて、ユーザ独自のマニュアル（作業手順書等）を簡単に作成できる。
【０００９】
【特許文献１】特開２０００‐２６７７７８号公報（第３頁、図１）
【発明の開示】
【発明が解決しようとする課題】
【００１０】
しかしながら、或るシステムを構築してエンドユーザに引き渡す以前に、ＳＩ側でなすべき作業としては、例えば、ＩＰアドレスの設定，汎用機に接続するためのETOSJX（日本電気株式会社の登録商標、後述）の設定，ネットワーク・マネージャの設定等がある。
【００１１】
これらの設定は、前記システムをエンドユーザに引き渡す以前になすべきＳＩの作業であり、該引渡し前のシステムのパソコン（情報端末装置）は、ヘルプファイルを格納することができない。従って、前記ETOSJX等の設定には前記特許文献１の従来技術の使用は、不向きである。
【００１２】
更に、構築したシステムの作業手順書には種々の内容があり、例えば、ＢＩОＳ（基本入出力システム）設定画面の操作説明等もある。このＢＩＯＳ設定画面は、パソコン（情報端末装置）が本来の機能を発揮する以前の状態であり、ＢＩＯＳ設定画面の設定項目を、前記ヘルプファイル１０２ａに一々に格納しておくのは、面倒である。また、パソコンの機種によってもＢＩＯＳ設定画面は異なってくる。
【００１３】
即ち、特許文献１の従来技術では、操作説明の対象項目を予めヘルプファイル１０２ａに格納しておく必要がある。そのため、例えば、パソコン本体が完全に立ち上がった後の状態でないと、操作説明書作成ツールとしての機能を発揮することができない。
【００１４】
本発明は、前記問題を解決するためになされたものであり、例えば、ＳＩがシステムを構築した場合に、そのシステムをエンドユーザに引き渡す直前に作成する設定手順マニュアル等の文書作成に好適な文書作成装置の提供を目的とする。
【課題を解決するための手段】
【００１５】
前記目的を達成するために請求項１記載の発明は、文書作成用情報を画面に表示する表示手段（図１のＰＣ画面１０ａ）と、
該表示手段に画面表示された文書作成用情報に、追加事項を記入する追加事項記入手段（ペン型装置３０）と、
作業者が装着し、前記追加事項が記入された前記表示手段の画面状態を視認しつつ撮影する撮影手段（ＨＭＤ２０）と、
該撮影手段が撮影した前記文書作成用情報と追加事項とを合成する画像合成手段（画像合成部４４）とを備えた構成としてある。
【００１６】
また、請求項２記載の発明は、請求項１記載の文書作成装置において、
前記画像合成手段が合成した画像を、フォーマット化して文書を作成するフォーマット化文書作成手段（フォーマット記憶部４３，画像合成部４４）を備えた構成としてある。
【００１７】
また、請求項３記載の発明は、請求項１または請求項２記載の文書作成装置において、
前記表示手段を備えた装置（第１のパソコン１０）と前記画像合成手段を備えた装置（サーバ５０）とは、無線により接続した構成としてある。
【００１８】
また、請求項４記載の発明は、請求項３記載の文書作成装置において、
前記画像合成手段を備えた装置（サーバ５０）は、前記フォーマット化文書作成手段（フォーマット記憶部４３，画像合成部４４）が作成したフォーマット化文書を蓄積しておくフォーマット化文書蓄積手段（ＫＭシステム６０）に接続した構成としてある。
【００１９】
また、請求項５記載の発明は、請求項１〜請求項４記載の文書作成装置において、
前記表示手段は、基本ソフトウェアをインストールした情報端末装置（第１のパソコン１０）に備えた構成としてある。
【００２０】
また、請求項６記載の発明は、請求項１〜請求項５記載の文書作成装置において、
前記文書作成用情報は、前記情報端末装置が動作可能状態になった後に表示される情報（ＥＴＯＳＪＸ−ＰＧアプリケーション）である構成としてある。
【００２１】
また、請求項７記載の発明は、請求項１〜請求項５記載の文書作成装置において、
前記文書作成用情報は、前記情報端末装置が立ち上がり動作状態中に表示される情報（例えば、ＢＩＯＳ設定画面）である構成としてある。
【発明の効果】
【００２２】
以上のような本発明によれば、以下の効果を発揮することができる。
請求項１記載の発明によれば、作業者は、例えば、図５に示すように追加事項記入手段（ペン型装置）により手書きで追記する。作業者は、この追記状態の表示手段（ＰＣ画面）を視認しつつ、撮影手段（ＨＭＤ）のＣＣＤカメラ部により図５の状態を撮影する。この撮影データを画像合成手段が合成して、例えば、図８の文書を作成する。従って、作業者は、容易に文書を作成できる。
【００２３】
請求項２記載の発明によれば、フォーマット化文書作成手段（フォーマット記憶部）には、例えば、図６に示すフォーマットが記憶してある。作業者はこのフォーマットを呼び出し、所定の記入箇所に図面，文字，数字等の必要事項を記入・当て嵌めをする。完成した文書は、例えば、図８，図１０（Ｂ），図１１（Ｂ）等に示すように、統一された文書形式となる。よって、エンドユーザは文書を読む場合に、読み易くなる。
【００２４】
請求項３記載の発明によれば、例えば、図１３に示すように、作業者がエンドユーザ先で作業を行うことができる。
請求項４記載の発明によれば、例えば、図１４に示すように、フォーマット化文書蓄積手段（ＫＭシステム）にフォーマット化文書を蓄積しておくので、多数のシステムエンジニアがフォーマット化文書を有効に活用できる。
【００２５】
請求項５記載の発明によれば、例えば、図１において、情報端末装置（第１のパソコン１０）には基本ソフトウェア（例えば、Windows（登録商標）2000）がインストールされ、表示手段（ＰＣ画面１０ａ）にはWindows（登録商標）2000のデスクトップ画面が表示され（例えば、図１）、作業者ＴＥはこのデスクトップ画面を操作対象とする。
【００２６】
請求項６記載の発明によれば、図１において、情報端末装置（第1のパソコン）のWindows（登録商標）2000は完全に立ち上がった状態となり、文書作成用情報（ＥＴＯＳＪＸ−ＰＧアプリケーション）は、例えば、図３に示すように、表示される。
【００２７】
請求項７記載の発明によれば、図１における情報端末装置（第1のパソコン）が完全に立ち上がる前の状態であっても（例えば、ＢＩＯＳ設定画面）、文書作成を行うことができる。
【発明を実施するための最良の形態】
【００２８】
以下、本発明の「文書作成システム」を、図示の実施形態に基づいて説明する。
【００２９】
（１）第１の実施形態
図１は本実施形態を示すシステムの概念図、図２は本実施形態で使用するＨＭＤを説明する図であって、（Ａ）は作業者がＨＭＤを装着した図、（Ｂ）はＨＭＤの内部構造を示す図である。
【００３０】
本実施形態は、作業者がマイクロソフト社の企業向けＯＳであるWindows（登録商標）2000を使用したパソコンに、或るアプリケーションソフトウェア（アプリケーション、ＥＴＯＳＪＸ）を設定（インストール直後の作業）する際の、設定手順マニュアルの作成を例にして説明する。
【００３１】
なお、ＥＴＯＳＪＸの設定は、前述のように、システムをエンドユーザに引き渡す以前のＳＩの作業であり、該引渡し前のシステムのパソコンは、ヘルプファイルを格納することができない。従って、前記特許文献１の従来技術の使用は、不可能である。
【００３２】
ここに、ＥＴＯＳＪＸとは、既設のＡＣＯＳ（日本電気製の汎用機）資産に、Windows（登録商標）2000をインストールしたパソコンからアクセスするための通信ソフトウェアである。
【００３３】
図１に示すように、文書作成システムＢＣ１は、作業者ＴＥの作業対象である第１のパソコン１０と、作業者ＴＥが頭に装着するシースルー型のＨＭＤ（ヘッドマウントディスプレイ）２０と、作業者ＴＥが手書き入力に使用するペン型装置３０と、第２のパソコン４０とを備えてなる。
第1のパソコン（ＰＣ）１０のＯＳは前述のようにWindows（登録商標）2000であり、ＰＣ画面１０ａに表示された文字・数字等を作業者ＴＥが処理する（後述）。
【００３４】
次に、ＨＭＤ２０を、図２（Ａ），（Ｂ）を参照しつつ、説明する。
図２（Ａ），（Ｂ）に示すように、ＨＭＤ２０は、窓部２１，ＣＣＤカメラ部２２，画像出力部２３を一体化したものである。そして、作業者ＴＥが頭部に装着すると、窓部２１からは実際に目の前にある映像が、光線Ａとして見える。
【００３５】
また、ＣＣＤカメラ部２２から作業者ＴＥの視界にあるものの映像が、画像データ（光線Ａ）として取り込まれ、該取り込まれた画像データは画像出力部２３から第２のパソコン４０へ送られる（後述）。
また、当然の事ながら、作業者ＴＥの休憩状態や作業者ＴＥが手元のマウスやキーボードを見ている場面などはカットされなければならない。
【００３６】
図３は、作業者ＴＥがＨＭＤ２０を装着してＰＣ画面１０ａを見た場合の第１具体例である。
第１具体例は、後述のペン型装置３０による「注意書きの書込み」をしていないので、ＰＣ画面そのものである（後述）。
【００３７】
即ち、第１のパソコン１０に、ＥＴＯＳＪＸ製品ＣＤ−ＲＯＭから「ＥＴＯＳＪＸ−ＰＧアプリケーション」をインストールした後、設定手順マニュアルを作成する場合に、最初に表示させる画面（アプリケーション画面、後述）である。図３は、後述する手順書完成例（完成した設定手順マニュアルの或るページ）を構成する図７に相当する。
【００３８】
図４は、作業者ＴＥがＨＭＤ２０を装着してＰＣ画面１０ａを見た場合の第２具体例である。
第２具体例は、ペン型装置３０により「注意書きの書込み」をして設定後のＰＣ画面１０ａのイメージであり、ＰＣ画面そのものである。図４は、後述する手順書完成例を構成する図８に相当する。
【００３９】
図５は、作業者ＴＥがＨＭＤ２０を装着してＰＣ画面１０ａを見た場合の第３具体例である。
第３具体例は、ペン型装置３０により設定箇所に「○」を手書きで描き、「サーバ設定表１を参照して設定」と注釈を書き込んだ後のイメージを示す。
【００４０】
図５は、前記図４と同じＰＣ画面であるが、作業者ＴＥはＨＭＤ２０を装着し、ペン型装置３０で注釈を書き込んでいるため、作業者ＴＥには図５のイメージが見える。図５は、後述する手順書完成例を構成する図８に相当する。
【００４１】
図１の説明に戻る。
ペン型装置３０は、例えば、タブレット装置のペンからなり、前述のように、ＰＣ画面１０ａへの注釈の書き込みを行う（図５参照）。
ペン型装置３０は、マニュアル化に不要な画面とマニュアル化に必要な画面の切り替えを行う。
【００４２】
第２のパソコン４０は、ＣＣＤ画像処理部４１と、ペン画像処理部４２と、フォーマット記憶部４３と、画像合成部４４と、表示部４５と、データ入力部４６と、データ送受信部４７とを備える。
【００４３】
ＣＣＤ画像処理部４１は、ＨＭＤ２０のＣＣＤカメラ部２２が撮影した画像を処理し、連続した動画像（例えば、図５の「サーバ設定表１を参照して設定」や「楕円形」や「矢印」を手書きすること）から作業的に意味のある静止画像の抽出を行う。意味のある静止画像とは、最終的に作業手順書が完成したときに記載されるべき画像である（例えば、図８参照）。
【００４４】
ペン画像処理部４２は、ペン型装置３０で入力したＰＣ画面１０ａへの注釈（文字，文章，記号等）の抽出処理を行う。
ペン型装置３０がＰＣ画面１０ａ上でなぞった線（矢印，記号，文字，文章等）は、ペン画像処理部４２において、文字や記号等として認識される。
【００４５】
フォーマット記憶部４３は、設定手順マニュアルを作成する場合のフォーマット（例えば、図６）を記憶しておく。
図６は、「ＥＴＯＳＪＸの設定」用のフォーマットＦＭであり、ＥＴＯＳＪＸの設定には多数の手順がある。
【００４６】
先ず、フォーマットＦＭをＰＣ画面１０ａに表示させ、「ＥＴＯＳＪＸの設定」と図示省略のキーボードにより記入し、「何の設定であるか」を最初に明記する。
【００４７】
次に、「手順Ｎ−Ｍ」として、「どのような手順であるか」を明記する。
図中の「図Ｎ」とは、設定の際にＰＣ画面に表示する手順を示す図の番号であり、「Ｍ」とは、手順図中のサブ番号である（例えば、図７参照）。長方形の枠４３ａの中に、例えば図７に示した「基本パラメータ」のアプリケーション画面ＡＰ１を挿入する（後述）。
また、「注Ｎ−Ｍ」を設け、注記の記入位置を統一する。
【００４８】
画像合成部４４は、ＣＣＤ画像処理部４１からの画像とペン画像処理部４２からの画像を合成し、更にフォーマット記憶部４３のフォーマットＦＭ（図６参照）に適合させて設定手順マニュアルの或るページを作成する。
【００４９】
表示部４５は、例えば液晶からなる一般的な表示手段である。
データ入力部４６は、キーボード，マウス等からなる一般的なデータ入力手段である。
データ送受信部４７は、インターネット，イントラネット等とのデータの送受信を行う手段である。
【００５０】
次に、本実施形態の作用を、図９のフローチャート図を参照しつつ説明する。
図９に示すように、作業者ＴＥは、先ず、ＥＴＯＳＪＸ製品ＣＤ−ＲＯＭから「ＥＴＯＳＪＸ−ＰＧアプリケーション」を、第1のパソコン１０（図１参照）にインストールする（ステップＳ１）。
【００５１】
「ＥＴＯＳＪＸ−ＰＧアプリケーション」をインストール済みの状態で、作業者ＴＥは第１のパソコン１０，第２のパソコン４０，ペン型装置３０を起動する。そして、「ＥＴＯＳＪＸ−ＰＧアプリケーション」の設定手順マニュアルを作成するために、先ず、フォーマットＦＭ（図６参照）を呼び出す（ステップＳ２）。
【００５２】
次いで、フォーマットＦＭに対して、「ＥＴＯＳＪＸの設定」，「手順１−１（「スタート→プログラム→ＥＴＯＳＪＸアプリケーション→ＥＴＯＳＪＸ―ＰＧ」等の必要事項をキーボード操作で記入する（ステップＳ３）。記入後のフォーマットＦＭを、図示省略のＲＡＭ（メモリ）に一時格納しておく（ステップＳ４）。
【００５３】
次いで、マウス，キーボード操作により、予め第1のパソコン１０にインストールしてある「ＥＴＯＳＪＸ−ＰＧアプリケーション」を呼び出す。呼び出した状態の最初の画面が図３である（ステップＳ５）。
ＨＭＤ２０を装着した作業者ＴＥは、ＰＣ画面１０ａを見た場合に、図３の状態で見える。即ち、Windows（登録商標）2000のデスクトップ画面に、アプリケーション画面（基本パラメータ）が重なって見える。
【００５４】
作業者ＴＥは、図４に示すように、キーボードから「通信リソース名」として「ＡＣＯＳ」と入力する。そして、初期動作モードとして「COMI-2（FORM）」をチェックし、ホストコンピュータとして「ＡＣＯＳ−４」をチェックし、ユニットアドレスとして「自動割り当て」をチェックする（ステップＳ６）。
【００５５】
次いで、図５に示すように、作業者ＴＥはペン型装置３０により、ＰＣ画面１０ａに対し、手書きで「ＡＣＯＳ」と「COMI-2（FORM）」とを「○」で囲み、さらに「サーバ設定表１を参照して設定」と書き込む（ステップＳ７）。
すると、ＨＭＤ２０のＣＣＤカメラ部２２が図５の状態をそのまま読み取り、読み取ったデータを第２のパソコン４０へ送信する。
【００５６】
第２のパソコン４０では、受け取ったデータをＣＣＤ画像処理部４１とペン画像処理部４２が処理し、画像合成部４４が画像を合成し、図８に示す設定手順マニュアルの「図１−２」を作成する（ステップＳ８）。
即ち、図８に示すように、図５において手書きで「○」を描いた二箇所が綺麗な楕円形に表示され、「注１−２」として手書きの「サーバ設定表１を参照して設定」が綺麗な活字体で表示される。
【００５７】
なお、図８を作業者ＴＥが見て、不満足であれば、ステップＳ２に戻り、ステップＳ２〜ステップＳ８を繰り返して、修正を行う（ステップＳ９：Ｎｏ）。
【００５８】
ステップＳ９において修正が無い場合には（ステップＳ９：Ｙｅｓ）、一つのアプリケーション画面（この場合は、基本パラメータ）が終了し、その合成画面（この場合は図８の画面）を第２のパソコン４０のＲＡＭ（図示省略）に格納する（ステップＳ１１）。
【００５９】
以上の操作を次に説明する各アプリケーション画面（図１０〜図１２）に対して実行し、全てが終了した場合には（ステップＳ１２：Ｙｅｓ）、プリントアウトし（ステップＳ１３）、製本等の工程を経て「ＥＴＯＳＪＸの設定」のマニュアルが完成する。
【００６０】
次に、前記図１０〜図１２を簡単に説明する。
図１０（Ａ）は、手順２−１の「拡張パラメータ→簡易操作指定」で規定値として「E52CMD」をキーボード入力する。そして、図５の場合と同様に、ペン型装置３０で「E52CMD」と「OK」とを「○」で囲むと、図１０（Ｂ）に示すように、綺麗に表示された設定手順マニュアルが出来上がる。
【００６１】
図１１（Ａ）は、手順３−１の「拡張パラメータ→初期動作指定」の場合である。そして、「初期簡易操作の名称」の欄にペン型装置３０で「V1」と書き込み、ＯＫボタンを手書きで楕円で囲むと、図１１（Ｂ）に示すように、「V1」と「OK」が綺麗に楕円形で囲まれて表示され、設定手順マニュアルが出来上がる。
【００６２】
図１２（Ａ）は、手順４−１の「拡張パラメータ→キーのカスタマイズ→キーの割り当て」の当初状態を示す図である。この場合は「キー」では「F1」がチェックされ、「切り換えキー」では「単独」がチェックされ、「機能選択項目一覧」では「PF1」が選択されている。
【００６３】
図１２（Ｂ）は、手順４−２であり、キーでは「ESC」が「○」で囲まれ、「切り換えキー」では「単独」がチェックされ、「機能選択項目一覧」では「未設定」が選択されている。
図１２（Ｃ）は、手順４−３であり、「機能」では「Skip」が綺麗な点線楕円で囲まれ、「機能選択項目一覧」では「Skip」が綺麗な楕円で囲まれている。
【００６４】
（２）第２の実施形態
図１３は、本実施形態のシステム構成図である。本実施形態と前記第１の実施形態との相違点は、第２のパソコン４０（図１）の機能をサーバ５０に持たせた点等である。
【００６５】
図１３に示すように、文書作成システムＢＣ２は、作業者ＴＥの作業対象である第１のパソコン１０と、作業者ＴＥが頭に装着するシースルー型のＨＭＤ（ヘッドマウントディスプレイ）２０と、作業者ＴＥが手書き入力に使用するペン型装置３０と、モバイルパソコン４０Ａと、サーバ５０とを備えてなる。モバイルパソコン４０Ａとサーバ５０とは、無線により接続されている。
【００６６】
サーバ５０には、前記図１に示した第２のパソコン４０の機能部を備える。即ち、サーバ５０は、ＣＣＤ画像処理部４１と、ペン画像処理部４２と、フォーマット記憶部４３と、画像合成部４４と、表示部４５と、データ入力部４６と、データ送受信部４７とを備える。
【００６７】
そして、前記第１の実施形態で説明した各種操作（図９参照）を作業者ＴＥが第１のパソコン１０に対して行うと、各種データはモバイルパソコン４０Ａを介してサーバ５０に送信される。サーバ５０では、第１の実施形態と同様の処理を行い、モバイルパソコン４０Ａに処理結果を返信する。
【００６８】
この第２の実施形態によれば、例えば、作業者ＴＥが客先に出向いてＥＴＯＳＪＸの設定手順マニュアルの作成作業を行うことができる。この場合、サーバ５０は、例えば、ＳＩの自社に設定しておく。
【００６９】
（３）第３の実施形態
図１４は、本実施形態のシステム構成図である。本実施形態と前記第２の実施形態との相違点は、ＫＭ（知識管理）システム６０を介在させてサーバ５０に接続した点等である。
【００７０】
図１４に示すように、文書作成システムＢＣ３は、作業者ＴＥの作業対象である第１のパソコン１０と、作業者ＴＥが頭に装着するシースルー型のＨＭＤ（ヘッドマウントディスプレイ）２０と、作業者ＴＥが手書き入力に使用するペン型装置３０と、モバイルパソコン４０Ａと、サーバ５０と、ＫＭ（知識管理）システム６０とを備えてなる。モバイルパソコン４０Ａとサーバ５０とは、無線により接続されている。
【００７１】
本実施形態では、完成した設定手順マニュアルをＫＭシステム６０に格納しておく。このようにすれば、或るＳＩに所属する全てのＳＥが完成した設定手順マニュアルを容易に利用することができる。 
【産業上の利用可能性】
【００７２】
本発明は、例えば、ＳＩがシステムを構築した場合に、そのシステムをエンドユーザに引き渡す直前に作成する設定手順マニュアル等の文書作成に好適な文書作成装置に適用することができる。
【図面の簡単な説明】
【００７３】
【図１】本発明の第1の実施形態のシステム構成図である。
【図２】同実施形態におけるＨＭＤを説明する図であって、（Ａ）は作業者がＨＭＤを装着した図、（Ｂ）はＨＭＤの内部構成を示す断面図である。
【図３】同実施形態において、ＨＭＤを装着した作業者が見たＰＣ画面の一例（基準画面）を示す図である。
【図４】同実施形態において、ＨＭＤを装着した作業者が見たＰＣ画面の一例（一部、キーボード入力画面）を示す図である。
【図５】同実施形態において、ＨＭＤを装着した作業者が見たＰＣ画面の一例（手書き追記画面）を示す図である。
【図６】同実施形態における、フォーマットの一例を示す図である。
【図７】同実施形態における、完成した設定手順マニュアルの一例（基準画面）を示す図である。
【図８】同実施形態における、完成した設定手順マニュアルの一例（入力箇所指示済み画面）を示す図である。
【図９】同実施形態のフローチャート図である。
【図１０】同実施形態における、完成した設定手順マニュアルの一例（拡張パラメータ→簡易操作指定画面）を示す図である。
【図１１】同実施形態における、完成した設定手順マニュアルの一例（拡張パラメータ→初期動作指定画面）を示す図である。
【図１２】同実施形態における、完成した設定手順マニュアルの一例（拡張パラメータ→キーのカスタマイズ→キーの割り当て画面）を示す図である。
【図１３】本発明の第２の実施形態のシステム構成図である。
【図１４】本発明の第３の実施形態のシステム構成図である。
【図１５】従来例を示す図であって、（Ａ）はシステム構成図、（Ｂ）は操作説明の例を示す図である。
【符号の説明】
【００７４】
ＡＰ１〜ＡＰ  アプリケーション画面
ＢＣ  文書作成システム
ＦＭ  フォーマット
ＴＥ  作業者
１０  第１のパソコン
１０ａ  ＰＣ画面
２０  ＨＭＤ（ヘッドマウントディスプレイ）
２１  窓部
２２  ＣＣＤカメラ部
２３  ハーフミラー
２４  画像出力部
２５  操作入力部
２６  画像処理部
３０  ペン型装置
４０  第２のパソコン
４０Ａ  モバイルパソコン
５０  サーバ
６０  ＫＭシステム
１０１  従来のパソコンの表示制御手段
１０２  メモリ
１０２ａ  ヘルプファイル
１０３  ディスプレイ
１０３ａ  操作画面
１０４  編集手段
１０５  入力デバイス（キーボード）
１０６  印刷制御手段
１０７  印刷用紙
１０７ａ  操作説明
１０８  プリンタ
１０９  ヘルプファイル更新手段
１１０  操作説明
【図１】
2005045613.tif 000003
【図２】
2005045613.tif 000004
【図３】
2005045613.tif 000005
【図４】
2005045613.tif 000006
【図５】
2005045613.tif 000007
【図６】
2005045613.tif 000008
【図７】
2005045613.tif 000009
【図８】
2005045613.tif 000010
【図９】
2005045613.tif 000011
【図１０】
2005045613.tif 000012
【図１１】
2005045613.tif 000013
【図１２】
2005045613.tif 000014
【図１３】
2005045613.tif 000015
【図１４】
2005045613.tif 000016
【図１５】
2005045613.tif 000017